(57)【特許請求の範囲】
【請求項１】
発信者側の交換機及びインタネット接続業者のサーバ、着信者側のインタネット接続業者のサーバ及び交換機、並びに発信者側のサーバと着信者側のサーバとを接続するインタネットによって実現されるインタネット電話における発信者番号通知装置において、
前記発信者側のサーバと前記発信者側の交換機とを接続する第１の回線と、
前記着信者側のサーバと前記着信者側の交換機とを接続する第２の回線と、
前記発信者側交換機に設けられ、前記第１の回線を使って前記発信者側サーバに発信者電話番号を送信する第１の送信手段と、
前記発信者側サーバに設けられ、前記第１の送信手段から送られた発信者電話番号を、前記インタネットを使って前記着信者側サーバに送信する第２の送信手段と、
前記着信者側交換機に設けられ、前記着信者側サーバに送信された発信者電話番号を、前記第２の回線を使って前記着信者側サーバから獲得する発信者番号獲得手段と、
を有し、
発信者側において交換機に複数のインタネット接続業者のサーバが接続されている場合に、前記第１の回線は、前記複数のインタネット接続業者サーバのうちの１つと前記発信者側交換機とを接続する回線であって、
前記第１の送信手段は、前記第１の回線が接続されていないサーバに対して、前記第１の回線、前記第１の回線が自己に接続されているサーバ、及び前記インタネットを順に介して接続し、発信者電話番号を送信する、
ことを特徴とするインタネット電話発信者番号通知装置。
【請求項２】
前記第１及び第２の回線は、加入者回線ではなく、発信者電話番号を伝送するための専用制御回線であることを特徴とする請求項１記載のインタネット電話発信者番号通知装置。
【請求項３】
前記発信者側交換機に設けられ、前記複数のインタネット接続業者サーバの各々が前記第１の回線を使用する回数を記録する第１の記録手段、
を更に有することを特徴とする請求項１記載のインタネット電話発信者番号通知装置。
【請求項４】
着信者側において交換機に前記複数のインタネット接続業者サーバが接続されている場合に、前記第２の回線は、前記複数のインタネット接続業者サーバのうちの１つと前記着信者側交換機とを接続する回線であることを特徴とする請求項１記載のインタネット電話発信者番号通知装置。
【請求項５】
前記発信者番号獲得手段は、前記第２の回線が接続されていないサーバに対して、前記第２の回線、前記第２の回線が自己に接続されているサーバ、及び前記インタネットを順に介して接続し、発信者電話番号を獲得することを特徴とする請求項４記載のインタネット電話発信者番号通知装置。
【請求項６】
前記着信者側交換機に設けられ、前記複数のインタネット接続業者サーバの各々が前記第２の回線を使用する回数を記録する第２の記録手段、
を更に有することを特徴とする請求項５記載のインタネット電話発信者番号通知装置。
【請求項７】
発信者側の交換機及びインタネット接続業者のサーバ、着信者側のインタネット接続業者のサーバ及び交換機、並びに発信者側のサーバと着信者側のサーバとを接続するインタネットによって実現されるインタネット電話における発信者番号通知装置において、
前記発信者側のサーバと前記発信者側の交換機とを接続する第１の回線と、
前記着信者側のサーバと前記着信者側の交換機とを接続する第２の回線と、
前記発信者側サーバに設けられ、前記第１の回線を使って前記発信者側交換機から発信者電話番号を獲得する発信者番号獲得手段と、
前記発信者側サーバに設けられ、前記インタネットを使って前記着信者側サーバに発信者電話番号を送信する発信者番号送信手段と、
前記着信者側サーバに設けられ、前記第２の回線を使って前記着信者側交換機へ発信者電話番号を通知する発信者番号通知手段と、
を有し、
発信者側において交換機に複数のインタネット接続業者サーバが接続されている場合に、前記第１の回線は、前記複数のインタネット接続業者サーバのうちの１つと前記発信者側交換機とを接続する回線であって、
前記第１の回線が自己に接続されていないサーバは、前記インタネット、前記第１の回線が自己に接続されているサーバ、及び前記第１の回線を順に介して前記発信者側交換機に接続し、発信者電話番号を獲得する、
ことを特徴とするインタネット電話発信者番号通知装置。
【請求項８】
前記第１及び第２の回線は、加入者回線ではなく、発信者電話番号を伝送するための専用制御回線であることを特徴とする請求項７記載のインタネット電話発信者番号通知装置。
【請求項９】
前記発信者側交換機に設けられ、前記複数のインタネット接続業者サーバの各々が前記第１の回線を使用する回数を記録する第１の記録手段、
を更に有することを特徴とする請求項７記載のインタネット電話発信者番号通知装置。
【請求項１０】
着信者側において交換機に前記複数のインタネット接続業者サーバが接続されている場合に、前記第２の回線は、前記複数のインタネット接続業者サーバのうちの１つと前記着信者側交換機とを接続する回線であることを特徴とする請求項７記載のインタネット電話発信者番号通知装置。
【請求項１１】
前記第２の回線が自己に接続されていないサーバは、前記インタネット、前記第２の回線が自己に接続されているサーバ、及び前記第２の回線を順に介して前記着信者側交換機に接続し、発信者電話番号を送信することを特徴とする請求項１０記載のインタネット電話発信者番号通知装置。
【請求項１２】
前記着信者側交換機に設けられ、前記複数のインタネット接続業者サーバの各々が前記第２の回線を使用する回数を記録する第２の記録手段、
を更に有する特徴とする請求項１１記載のインタネット電話発信者番号通知装置。
【発明の詳細な説明】
【０００１】
【発明の属する技術分野】
本発明は、インタネット電話発信者番号通知装置に関し、特に、発信者側の交換機及びインタネット接続業者のサーバ、着信者側のインタネット接続業者のサーバ及び交換機、並びに発信者側サーバと着信者側サーバとを接続するインタネットによって実現されるインタネット電話における発信者番号通知装置に関する。
【０００２】
近年、国際電話等の通話コストの削減を目的として、中継路にインタネットを使用した電話サービスが普及しつつある。
本発明は、インタネットを一部に使用した通信網の電話交換サービスにおいて、着信側に発信者電話番号を通知することを可能とする技術である。
【０００３】
【従来の技術】
インタネットを使用した電話交換サービスには数種類の形態があるが、その一形態を、図１２を参照して説明する。
【０００４】
図１２は、従来のインタネット電話交換サービスシステムの一例を示す全体構成図である。即ち、発信側が、電話機１０１等、電話交換機１０２、インタネット接続業者サーバ（以下「サーバ」と呼ぶ）１０３からなり、着信側が、インタネット接続業者サーバ（以下「サーバ」と呼ぶ）１０５、電話交換機１０６、電話機１０７等からなる。サーバ１０３とサーバ１０５とがインタネット１０４で接続される。こうした構成のインタネット電話交換サービスシステムは、既存の電話機がそのまま使用できるので、今後の普及が見込まれる。
【０００５】
図１３は、図１２に示すインタネット電話交換サービスシステムにおいて電話機１０１が発呼して電話機１０７と接続する手順を示すシーケンス図である。以下、図中のシーケンス番号（Ｓ）を引用しながら、電話機１０１と電話機１０７とを接続する手順を説明する。
【０００６】
先ず、発信加入者が電話機１０１から電話交換機１０２に対してサーバ１０３の電話番号をダイヤルし、これによって、電話機１０１とサーバ１０３との間のパスを確立する（Ｓ１０１）。
【０００７】
サーバ１０３は、発信加入者が契約ユーザであることを確認するために、アカウント及びパスワードの提示を電話機１０１側に求め、これにより認証を実施する（Ｓ１０２）。
【０００８】
認証完了後に、電話機１０１から通話相手（着信側電話機１０７）の電話番号がサーバ１０３に通知される（Ｓ１０３）。
サーバ１０３は、着信側電話機１０７が接続されている電話交換機を探し、更にこの電話交換機に接続されているサーバを探す。この場合、サーバ１０５が見つかる。サーバ１０３はサーバ１０５に対して、インタネット１０４を介して着信要求を送る（Ｓ１０４）。着信要求には通話相手の電話番号を添える。
【０００９】
着信側のサーバ１０５は、電話交換機１０６に対して着信側電話機１０７の電話番号をダイヤルし、これによって、サーバ１０５と電話機１０７との間のパスを確立する（Ｓ１０５）。
【００１０】
電話機１０１と電話機１０７との間の通話が可能となると、音声案内等により、発信加入者に通知する（Ｓ１０６）。
電話機１０１と電話機１０７との間で通話が開始される。インタネット１０４においては、音声データがコーディック処理されて伝送される（Ｓ１０７）。
【００１１】
【発明が解決しようとする課題】
ところで、通常の電話交換サービスでは、発信者電話番号を、発信者側交換機から着信側交換機に局間中継線（Ｈ２）を介して送り、着信側交換機ではこれを、着信加入者に対して発信者電話番号を通知するサービスに利用している。また、発信者電話番号は着信側交換機において、脅迫電話のような悪意呼の追跡サービス等、さまざまなサービスに利用されている。
【００１２】
しかし、インタネットを使用した電話交換サービスでは、図１２に示すように電話交換機１０２と電話交換機１０６との間にインタネット１０４が介在している。そのため、従来の方法により着信側の電話交換機１０６において発信者電話番号を求めると、サーバ１０５の電話番号が得られるだけであり、本来の発信者電話番号である電話機１０１の電話番号を着信者が知ることは不可能であるという問題点があった。
【００１３】
本発明はこのような点に鑑みてなされたものであり、着信側に発信者電話番号を通知することができるインタネット電話発信者番号通知装置を提供することを目的とする。
【００１４】
【課題を解決するための手段】
本発明では上記目的を達成するために、図１に示すように、発信者側のサーバ１と発信者側の交換機２とを接続する第１の回線３と、着信者側のサーバ４と着信者側の交換機５とを接続する第２の回線６と、発信者側の交換機２に設けられ、第１の回線３を使って発信者側のサーバ１に発信者電話番号を送信する第１の送信手段２ａと、発信者側のサーバ１に設けられ、第１の送信手段２ａから送られた発信者電話番号を、インタネット７を使って着信者側のサーバ４に送信する第２の送信手段１ａと、着信者側の交換機５に設けられ、着信者側のサーバ４に送信された発信者電話番号を、第２の回線６を使って着信者側のサーバ４から獲得する発信者番号獲得手段５ａとを有することを特徴とするインタネット電話発信者番号通知装置が提供される。
【００１５】
以上のような構成において、第１の回線３及び第２の回線６の各々は、加入者回線とは異なり、発信者電話番号を伝送するために専用に設けられた制御回線である。
【００１６】
発信者側の交換機２は一般に、発信者電話番号を知ることができる。そこで、発信者側の交換機２に設けられた第１の送信手段が、第１の回線３を使って発信者側のサーバ１に発信者電話番号を送信する。発信者電話番号を送信された発信者側のサーバ１では、第２の送信手段１ａが、その発信者電話番号を、インタネット７を使って着信者側のサーバ４に送信する。
【００１７】
着信者側のサーバ４に送信された発信者電話番号は、着信者側の交換機５に設けられた発信者番号獲得手段５ａによって、第２の回線６を介して着信者側の交換機５に取り込まれる。
【００１８】
かくして、着信者側の交換機５は発信者電話番号を知ることができる。従って、インタネットを使用しない通常の電話交換サービスと同様に、着信加入者に対する発信者電話番号通知サービス等を行うことが可能となる。
【００１９】
【発明の実施の形態】
以下、実施の形態を、図面を参照して説明する。
まず、実施の形態の原理構成を、図１を参照して説明する。実施の形態は、発信者側のサーバ１と発信者側の交換機２とを接続する第１の回線３と、着信者側のサーバ４と着信者側の交換機５とを接続する第２の回線６と、発信者側の交換機２に設けられ、第１の回線３を使って発信者側のサーバ１に発信者電話番号を送信する第１の送信手段２ａと、発信者側のサーバ１に設けられ、第１の送信手段２ａから送られた発信者電話番号を、インタネット７を使って着信者側のサーバ４に送信する第２の送信手段１ａと、着信者側の交換機５に設けられ、着信者側のサーバ４に送信された発信者電話番号を、第２の回線６を使って着信者側のサーバ４から獲得する発信者番号獲得手段５ａとから構成される。
【００２０】
以上のような構成において、第１の回線３及び第２の回線６の各々は、加入者回線とは異なり、発信者電話番号を伝送するために専用に設けられた制御回線である。
【００２１】
発信者側の交換機２は一般に、発信者電話番号を知ることができる。そこで、発信者側の交換機２に設けられた第１の送信手段が、第１の回線３を使って発信者側のサーバ１に発信者電話番号を送信する。発信者電話番号を送信された発信者側のサーバ１では、第２の送信手段１ａが、その発信者電話番号を、インタネット７を使って着信者側のサーバ４に送信する。
【００２２】
着信者側のサーバ４に送信された発信者電話番号は、着信者側の交換機５に設けられた発信者番号獲得手段５ａによって、第２の回線６を介して着信者側の交換機５に取り込まれる。
【００２３】
かくして、着信者側の交換機５は発信者電話番号を知ることができる。従って、インタネットを使用しない通常の電話交換サービスと同様に、着信加入者に対する発信者電話番号通知サービス等を行うことが可能となる。
【００２４】
次に、実施の形態を具体的に説明する。なお、以下に説明する実施の形態では、図１に示すサーバ１は図６のサーバ３３に対応し、同様に、交換機２は図６の交換機３２に、第１の回線３は、図２が発信者側を示す場合の制御回線（Ｈ１）２３に、サーバ４は図６のサーバ３５に、交換機５は図６の交換機３６に、第２の回線６は、図２が着信者側を示す場合の制御回線（Ｈ１）２３に、第１の送信手段２ａは、図３の交換機１５が発信者側の交換機を示す場合のインタネット接続制御部１５ｃ及びＴＣＰ／ＩＰプロトコル制御部１５ｄに、第２の送信手段１ａは図６のサーバ３３に、発信者番号獲得手段５ａは、図３の交換機１５が着信者側の交換機を示す場合のインタネット接続制御部１５ｃ及びＴＣＰ／ＩＰプロトコル制御部１５ｄにそれぞれ対応する。
【００２５】
図２は、インタネットが接続された回線網を示す図である。図２では、電話機１１等が加入者回線（Ｈ３）１２を介して交換機１３に接続される。交換機１３は局間中継線（Ｈ２）１４を介して交換機１５に接続される。交換機１５にはインタネット接続業者のサーバ１９〜２１が加入者回線（Ｈ３）１６〜１８をそれぞれ介して接続される。サーバ１９〜２１はインタネット２２に接続される。
【００２６】
こうしたサーバ、交換機、電話機等からなる回線網がインタネット２２に多数接続されるが、図２はそれらの１つの回線網だけを図示している。従って、図２に示す回線網は、以下の説明では発信者側にも着信側にもなり得る。
【００２７】
交換機１５とサーバ２１との間に、発信者電話番号の伝送のために専用に使用される制御回線（Ｈ１）２３を設置する。図２に示す例では、制御回線（Ｈ１）２３は、交換機１５とサーバ２１との間に１本設けられる。しかし、交換機１５とサーバ２１との間に複数本設けてもよく、また、サーバ２１との間に設ける他に、他のサーバと交換機１５との間に更に設けるようにしてもよい。つまり、インタネット接続業者のサーバが接続されている交換機は、サーバとの間に最低１本の制御回線（Ｈ１）を備えることにする。
【００２８】
サーバ１９〜２１の各々と交換機１５との間には複数の加入者回線（Ｈ３）が接続され、サーバ側の接続点にはポート番号が付されている。また、それらの加入者回線（Ｈ３）と交換機１５との各接続点は、交換機１５において加入者収容位置として管理され、ポート番号と対応付けられている。詳しくは後述する。
【００２９】
交換機１５とサーバ１９〜２１の各々とは、制御回線（Ｈ１）２３を介してＴＣＰ／ＩＰ(Transmission Control Protocol/Internet Protocol) によって通信を行う。そのために交換機１５には、後述のようなＴＣＰ／ＩＰプロトコル制御部１５ｄが設けられ、サーバ１９〜２１の各々にも、交換機１５と発信者電話番号に関する通信を行うための通信制御装置が設けられる。なお、制御回線（Ｈ１）２３が接続されていないサーバ１９，２０は各々、インタネット２２、サーバ２１、及び制御回線（Ｈ１）２３を、この順に介して交換機１５に接続する。
【００３０】
交換機１５には、後述のようにサーバ管理データ１５ｈが設けられ、ここに、サーバ１９〜２１の各々が制御回線（Ｈ１）２３を使用する回数が記録される。この記録は、制御回線（Ｈ１）２３が接続されたサーバ２１を所有する業者が、制御回線（Ｈ１）２３が接続されていないサーバ１９，２０を所有する業者に対して使用料金を徴収する際に利用される。
【００３１】
図３は、交換機１５の内部構成を示す図である。交換機１５は、ＣＰＵ (Central Processing Unit)，ＲＯＭ (Read Only Memory) ，ＲＡＭ (Random Access Memory) ，入出力装置等から構成されるデータ処理装置を含み、こうしたデータ処理装置が、加入者制御部１５ａ、局間中継線制御部１５ｂ、インタネット接続制御部１５ｃ、ＴＣＰ／ＩＰプロトコル制御部１５ｄで表される各機能を実現している。また、データ処理装置には、加入者データ１５ｅ、自局管理データ１５ｆ、呼制御データ１５ｇ、サーバ管理データ１５ｈ、接続回線制御データ１５ｉが格納される。
【００３２】
加入者制御部１５ａは、加入者の呼設定及び解除に伴う接続処理及び状態管理を行う。局間中継線制御部１５ｂは、通常の電話交換処理における、トランクを使用した各種制御信号方式（ＮＯ．７／ＤＰ／ＭＦＣ等）の接続処理及び状態管理を行う。
【００３３】
インタネット接続制御部１５ｃは、新たに設けられるものであり、交換機１５が着信者側の交換機であった場合には、インタネット接続業者のサーバに対して発信者電話番号の通知を要求し、また、交換機１５が発信者側の交換機であった場合には、インタネット接続業者のサーバに対して発信者電話番号の通知を行う。ＴＣＰ／ＩＰプロトコル制御部１５ｄも、新たに設けられるものであり、インタネット接続制御部１５ｃを、制御回線（Ｈ１）２３を介してサーバ１９〜２１の各々に接続してＴＣＰ／ＩＰプロトコル制御を行う。
【００３４】
加入者データ１５ｅ、自局管理データ１５ｆ、呼制御データ１５ｇ、サーバ管理データ１５ｈ、及び接続回線制御データ１５ｉについては、図４及び図５を参照して説明する。
【００３５】
図４（Ａ）は、加入者データ１５ｅの構成を示す図である。加入者データ１５ｅは、交換機１５に収容されている全加入者に関するデータであり、加入者収容位置毎に分けられている。加入者収容位置は一般に、加入者回線（Ｈ３）の各々が交換機と接続される位置を示し、実際には交換機におけるシェルフ番号、カード番号、及び回線番号によって表現される。なお、図２に示すようなサーバ１９〜２１が接続された交換機１５の場合は、加入者収容位置が、サーバを識別するサーバ番号と、そのサーバ内のポート番号との組み合わせによって特定される位置と一対一の対応関係になる。こうした対応関係にある場合、加入者データ１５ｅの該当の加入者収容位置に、サーバが接続されている旨のサーバ接続表示を行うと共に、加入者に関するデータとしてサーバ番号とポート番号を格納する。
【００３６】
図４（Ｂ）は、接続回線制御データ１５ｉの構成を示す図である。サーバと交換機との間に制御回線（Ｈ１）が複数存在するときには、交換機はそれらの制御回線（Ｈ１）を送出ポート番号により特定する。接続回線制御データ１５ｉには、送出ポート番号により特定された制御回線（Ｈ１）毎に、その制御回線（Ｈ１）が使用中であるか否かの情報が格納される。
【００３７】
図４（Ｃ）は、自局管理データ１５ｆの構成を示す図である。自局管理データ１５ｆは、交換機１５の設置されている地域についての、電話番号に関する国番号、市外局番、局コード（市内局番）からなる。
【００３８】
図５（Ａ）は、サーバ管理データ１５ｈの構成を示す図である。サーバ管理データ１５ｈは、サーバ毎にサーバ番号及びサーバのＩＰアドレスが格納されたものである。そして更に、サーバに存在する全ポートについて、ポート番号と交換機側の加入者収容位置との対応関係を格納する。また更に、当該サーバが制御回線（Ｈ１）２３を使用した回数を送信と受信とに分けて、接続記録として記録する。
【００３９】
図５（Ｂ）は、呼制御データ１５ｇの構成を示す図である。呼制御データ１５ｇは、呼処理の度に、発呼処理または着呼処理の対象となった発信者または着信者の電話番号を、交換機１５の加入者収容位置と対応付けて格納したものである。
【００４０】
次に、以上のような構成を有する交換機及びサーバを用いて、発信者側電話機からインタネットを介して着信者側電話機に通話接続を行うと共に、発信者電話番号を着信者側交換機へ通知する過程を説明する。
【００４１】
図６は、発信者側電話機からインタネットを介して着信者側電話機に通話接続する過程と、発信者電話番号を着信者側交換機へ通知する過程とを示すシーケンス図である。なお図６においては、発信者側に電話機３１、交換機３２、及びサーバ３３あり、着信者側にサーバ３５、交換機３６、及び電話機３７があり、サーバ３３とサーバ３５とがインタネット３４により接続されているとする。交換機３２，３６は各々、図３〜図５で示した構成を備えているとする。
【００４２】
発信者側の電話機３１から着信者側の電話機３７に通話接続しようとした場合に、発信者側において電話機３１がサーバ３３に呼接続し、認証処理が完了するまでの過程は、図１３に示す従来の手順Ｓ１０１，Ｓ１０２と同じである。そこで図６では、手順Ｓ１０１，Ｓ１０２に相当する部分の図示を省略し、図１３の手順Ｓ１０３以降の手順に相当する部分を図示する。以下の説明では、図６中のシーケンス番号（Ｓ）を適宜引用する。
【００４３】
発信者側において電話機３１とサーバ３３とが加入者回線（Ｈ３）を介して通話状態になり、認証が完了すると、電話機３１はサーバ３３へ通話相手（着信者）の電話番号を通知する（Ｓ１）。この通知を受けたサーバ３３は、制御回線（Ｈ１）を介して交換機３２に発信者電話番号（発電番）を通知するように要求する（Ｓ２）。交換機３２は呼制御データ１５ｇ［図５（Ｂ）］を参照して発信者電話番号を得、これを制御回線（Ｈ１）を介してサーバ３３へ通知する（Ｓ３）。手順Ｓ２，Ｓ３は、新たに加わったものであり、詳しくは図７及び図８を参照して後述する。
【００４４】
その後、サーバ３３は、インタネット３４を介して着信側のサーバ３５に対して着信要求を行い（Ｓ４）、サーバ３５は交換機３６に対して加入者回線（Ｈ３）を介して発呼要求を行う（Ｓ５）。これらの手順Ｓ４，Ｓ５は、図１３に示す手順Ｓ１０４，Ｓ１０５と同じである。ただし、サーバ３３は、サーバ３５に対して着信要求を行う際に、発信者電話番号をサーバ３５に通知する。
【００４５】
発呼要求を受けた交換機３６は、サーバ３５に対して制御回線（Ｈ１）を介して発信者電話番号の通知を要求する（Ｓ６）。サーバ３５は、制御回線（Ｈ１）を介して交換機３６に発信者電話番号を通知する（Ｓ７）。これらの手順Ｓ６，Ｓ７は、新たに加わったものであり、詳しくは図９〜図１１を参照して後述する。
【００４６】
その後の手順Ｓ８〜Ｓ１３は、図１３に示す手順Ｓ１０５〜Ｓ１０７と同じである。従って、それらの説明を省略する。
図７及び図８は、図６に示す発信者側の手順Ｓ２，Ｓ３において各部で実行される処理を、処理の流れに沿って付加したシーケンス図である。以下の説明では、図中の処理番号（Ｐ）を適宜引用する。
【００４７】
電話機３１から通話相手（着信者）の電話番号を通知（Ｓ１）されたサーバ３３は、制御回線（Ｈ１）を介して交換機３２に、発信者電話番号（発電番）を通知するように要求する（Ｐ１，Ｓ２）。この要求の際に、サーバ３３は、自サーバのＩＰアドレスと、自サーバが電話機３１との通話に使用している回線のポート番号を、要求に添えて送信する。
【００４８】
この要求を受信した交換機３２では、先ずＴＣＰ／ＩＰプロトコル制御部１５ｄが起動され、ＴＣＰ／ＩＰプロトコル制御部１５ｄがサーバ管理データ１５ｈ［図５（Ａ）］内の受信接続記録を更新する（Ｐ２）。即ち、受信したＩＰアドレスによってサーバ管理データ１５ｈがサーチされて、このＩＰアドレスに対応するサーバのデータが取り出される。そして、そのデータに含まれる受信接続記録において、制御回線（Ｈ１）の使用回数が１回だけ増加される。
【００４９】
次に、交換機３２のインタネット接続制御部１５ｃが起動され、インタネット接続制御部１５ｃが、受信したＩＰアドレスによってサーバ管理データ１５ｈをサーチし、このＩＰアドレスに対応するサーバのデータを取り出す（Ｐ３）。
【００５０】
インタネット接続制御部１５ｃは、そのデータを、受信したポート番号でインデックスして加入者収容位置を獲得する（Ｐ４）。この得られた加入者収容位置は、交換機３２がサーバ３３と現在接続している加入者回線（Ｈ３）の交換機３２における加入者収容位置である。
【００５１】
インタネット接続制御部１５ｃは、呼制御データ１５ｇ［図５（Ｂ）］を参照し、上記獲得の加入者収容位置に格納されている発信者電話番号を抽出する（Ｐ５）。
【００５２】
インタネット接続制御部１５ｃは、自局管理データ１５ｆ［図４（Ｃ）］から国番号、市外局番、局コード（市内局番）を取りだし、発信者電話番号に付加する（Ｐ６）。これは、発信者電話番号を受け取った着信者側が他国に位置することを考慮したためである。
【００５３】
インタネット接続制御部１５ｃは、サーバ３３へ発信者電話番号を通知する処理を、ＴＣＰ／ＩＰプロトコル制御部１５ｄに依頼する（Ｐ７）。
ＴＣＰ／ＩＰプロトコル制御部１５ｄが起動され、ＴＣＰ／ＩＰプロトコル制御部１５ｄは、接続回線制御データ１５ｉ［図４（Ｂ）］を参照して、制御回線（Ｈ１）の中で空いている送出ポートを探す（Ｐ８）。即ち、交換機３２に制御回線（Ｈ１）が複数接続されているときには、ＴＣＰ／ＩＰプロトコル制御部１５ｄは、接続回線制御データ１５ｉを参照して、使用中でない空き制御回線（Ｈ１）を探し、その空き制御回線（Ｈ１）の送出ポート番号を獲得する。
【００５４】
ＴＣＰ／ＩＰプロトコル制御部１５ｄは、サーバ管理データ１５ｈ内の送信接続記録を更新する（Ｐ９）。即ち、サーバ管理データ１５ｈ内からサーバ３３のデータを取り出し、そのデータに含まれる送信接続記録において、制御回線（Ｈ１）の使用回数を１回だけ増加させる。
【００５５】
ＴＣＰ／ＩＰプロトコル制御部１５ｄはサーバ３３へ、処理Ｐ６で得られた発信者電話番号を、処理Ｐ８で得られた送出ポート番号の制御回線（Ｈ１）から通知する（Ｓ３）。
【００５６】
発信者電話番号を受信すると、サーバ３３はインタネット３４を介してサーバ３５に向け、その発信者電話番号及び着信者電話番号を添えた着信要求を送信する（Ｐ１０，Ｓ４）。
【００５７】
図９〜図１１は、図６に示す着信者側の手順Ｓ６，Ｓ７において各部で実行される処理を、処理の流れに沿って付加したシーケンス図である。以下の説明では、図中の処理番号（Ｐ）を適宜引用する。
【００５８】
着信要求を受信したサーバ３５は、交換機３６との間の加入者回線（Ｈ３）のうちで空いている回線を探し、そのポート番号を獲得する（Ｐ２１）。
サーバ３５は、そのポート番号の加入者回線（Ｈ３）を使用して、着信者電話番号を添えて交換機３６に対して発呼要求を行う（Ｐ２２，Ｓ５）。
【００５９】
この発呼要求を受けた交換機３６では、加入者制御部１５ａが、加入者データ１５ｅ［図４（Ａ）］を参照して、発呼要求がサーバから来たものか、または、それ以外の電話機等から来たものかを判別する（Ｐ２３，Ｐ２４）。即ち、加入者制御部１５ａは、発呼要求があった加入者回線（Ｈ３）の加入者収容位置を用いて、加入者データ１５ｅをインデックスし、得られたデータ内に、サーバが接続されている旨のサーバ接続表示が存在するか否かを判別する。存在しなければ、サーバ以外の電話機等から来た発呼要求として、通常の発呼処理を行う（Ｐ２５）。
【００６０】
サーバ接続表示が存在すれば、サーバから来た発呼要求として、インタネット接続制御部１５ｃを起動する。インタネット接続制御部１５ｃは、発呼要求があった加入者回線（Ｈ３）の加入者収容位置を用いて、加入者データ１５ｅをインデックスし、得られたデータ内にあるサーバ番号とポート番号とを抽出する（Ｐ２６）。ここで抽出されたサーバ番号はサーバ３５の識別番号であり、ポート番号は、サーバ３５が発呼要求に使用した加入者回線（Ｈ３）のポート番号である。
【００６１】
インタネット接続制御部１５ｃは、サーバ管理データ１５ｈを参照し、処理Ｐ２６で求めたサーバ番号でサーバ３５のデータを取り出し、そこからＩＰアドレスを求める（Ｐ２７）。
【００６２】
インタネット接続制御部１５ｃは、発信者電話番号の通知をサーバ３５へ要求する処理を、ＴＣＰ／ＩＰプロトコル制御部１５ｄに依頼する（Ｐ２８）。
ＴＣＰ／ＩＰプロトコル制御部１５ｄが起動され、ＴＣＰ／ＩＰプロトコル制御部１５ｄは、接続回線制御データ１５ｉを参照して、制御回線（Ｈ１）の中で空いている送出ポートを探す（Ｐ２９）。即ち、交換機３６に制御回線（Ｈ１）が複数接続されているときには、ＴＣＰ／ＩＰプロトコル制御部１５ｄは、接続回線制御データ１５ｉを参照して、使用中でない空き制御回線（Ｈ１）を探し、その空き制御回線（Ｈ１）の送出ポート番号を獲得する。
【００６３】
ＴＣＰ／ＩＰプロトコル制御部１５ｄは、サーバ管理データ１５ｈ内の送信接続記録を更新する（Ｐ３０）。即ち、サーバ管理データ１５ｈ内のサーバ３５のデータが取り出される。そして、そのデータに含まれる送信接続記録において、制御回線（Ｈ１）の使用回数が１回だけ増加される。
【００６４】
ＴＣＰ／ＩＰプロトコル制御部１５ｄは、処理Ｐ２９で得られた送出ポート番号の制御回線（Ｈ１）を介して、処理Ｐ２７で得られたＩＰアドレスによってサーバ３５へ、発信者電話番号の通知要求を送信する（Ｓ６）。この通知要求には、処理Ｐ２６で得られたポート番号を添える。
【００６５】
この発信者電話番号の通知要求を受けたサーバ３５は、添えられていたポート番号を基に発信者電話番号を抽出する（Ｐ３１）。このポート番号は、サーバ３５が交換機３６へ発呼要求（Ｓ５）を送った加入者回線（Ｈ３）のポート番号である。従って、サーバ３５は、このポート番号から、発呼要求を送る原因になったサーバ３３からの着信要求を特定できる。これにより、その着信要求に添えられた発信者電話番号を抽出することができる。
【００６６】
サーバ３５は、抽出された発信者電話番号を交換機３６へ通知する（Ｐ３２，Ｓ７）。
発信者電話番号を通知された交換機３６では、先ずＴＣＰ／ＩＰプロトコル制御部１５ｄが起動され、ＴＣＰ／ＩＰプロトコル制御部１５ｄがサーバ管理データ１５ｈ内の受信接続記録を更新する（Ｐ３３）。即ち、サーバ３５のデータが取り出され、そのデータに含まれる受信接続記録において、制御回線（Ｈ１）の使用回数が１回だけ増加される。
【００６７】
次に、交換機３６のインタネット接続制御部１５ｃが起動され、インタネット接続制御部１５ｃは、呼制御データ１５ｇの所定位置に、通知された発信者電話番号を格納する（Ｐ３４）。所定位置は、交換機３６が発呼要求（Ｓ５）を受けた加入者回線（Ｈ３）が交換機３６側で特定される加入者収容位置に相当する呼制御データ１５ｇ内のエリアである。
【００６８】
次に加入者制御部１５ａが起動され、加入者制御部１５ａは、発呼要求（Ｓ５）で指定された着信者電話番号の電話機３７へ着呼を行う（Ｐ３５，Ｓ８）。
かくして、着信者側の交換機３６には発信者電話番号が通知され、呼制御データ１５ｇとして格納される。従ってその後、発信者電話番号は、必要に応じて、着信者側において各種サービスに利用され得ることとなる。各種サービスとしては、例えば着信者の電話機に発信者電話番号を表示するサービスや、脅迫電話等の悪意呼に対する追跡サービス等がある。
【００６９】
ところで、図２に示すように、制御回線（Ｈ１）２３が交換機１５とサーバ２１との間に１本だけ設置されている場合、サーバ１９，２０は各々、インタネット２２を介してサーバ２１に接続され、その上で制御回線（Ｈ１）２３から交換機１５に接続されて、発信者電話番号の送信または受信を行う。図５（Ａ）に示したサーバ管理データ１５ｈは、そうした場合の制御回線（Ｈ１）２３の使用回数をサーバ毎に記録している。従って、このサーバ管理データ１５ｈは、例えば、サーバ２１を所有する業者が、サーバ１９，２０をそれぞれ所有する業者に対して、制御回線（Ｈ１）２３の使用料金を徴収する際に利用することが可能となる。
【００７０】
なお、本発明の電話方式を利用すれば、悪意呼を着信者で認識した場合に、発信側のサーバや交換機にその発信者電話番号を通知することも容易である。従って、この通知を基に、例えば発信者側のサーバや交換機がその悪意呼を切断したり、取り締まり機関にその電話番号を通知したりする等の処理が可能となる。
【００７１】
【発明の効果】
以上説明したように本発明では、発信者電話番号を、発信者側の交換機から発信者側のサーバ、インタネット、着信者側のサーバを順に介して、着信者側の交換機へ通知する構成とした。
【００７２】
これにより、インタネット電話において着信側に発信者電話番号を通知することができる。従って、インタネット電話においても、着信者に対する発信者電話番号通知サービス等のサービス提供が可能となる。
【００７３】
また、本発明では交換機とサーバとの間に専用の制御回線を設けることになるが、この制御回線は各サーバが設置する必要はなく、交換機に少なくとも１本あればよい。その際、サーバによる制御回線の使用回数を、交換機においてサーバ毎に記録するようにする。
【００７４】
これにより、制御回線を備えたサーバを所有する業者が、制御回線を備えないサーバを所有する業者に対して、制御回線の使用に対する課金を容易に行うことが可能となる。
【図面の簡単な説明】
【図１】  原理説明図である。
【図２】インタネットが接続された回線網を示す図である。
【図３】交換機の内部構成を示す図である。
【図４】（Ａ）は、加入者データの構成を示す図であり、（Ｂ）は、接続回線制御データの構成を示す図であり、（Ｃ）は、自局管理データの構成を示す図である。
【図５】（Ａ）は、サーバ管理データの構成を示す図であり、（Ｂ）は、呼制御データの構成を示す図である。
【図６】発信者側電話機からインタネットを介して着信者側電話機に通話接続する過程と、発信者電話番号を着信者側交換機へ通知する過程とを示すシーケンス図である。
【図７】図６に示す発信者側の手順Ｓ２，Ｓ３において各部で実行される処理を、処理の流れに沿って付加した第１のシーケンス図である。
【図８】図６に示す発信者側の手順Ｓ２，Ｓ３において各部で実行される処理を、処理の流れに沿って付加した第２のシーケンス図である。
【図９】図６に示す着信者側の手順Ｓ６，Ｓ７において各部で実行される処理を、処理の流れに沿って付加した第１のシーケンス図である。
【図１０】図６に示す着信者側の手順Ｓ６，Ｓ７において各部で実行される処理を、処理の流れに沿って付加した第２のシーケンス図である。
【図１１】図６に示す着信者側の手順Ｓ６，Ｓ７において各部で実行される処理を、処理の流れに沿って付加した第３のシーケンス図である。
【図１２】従来のインタネット電話交換サービスシステムの一例を示す全体構成図である。
【図１３】図１２に示すインタネット電話交換サービスシステムにおいて電話機１０１が発呼して電話機１０７と接続する手順を示すシーケンス図である。
【符号の説明】
１  発信者側のサーバ
１ａ  第２の送信手段
２  発信者側の交換機
２ａ  第１の送信手段
３  第１の回線
４  着信者側のサーバ
５  着信者側の交換機
５ａ  発信者番号獲得手段
６  第２の回線
７  インタネット
【図１】
0003938237.tif 000002
【図２】
0003938237.tif 000003
【図３】
0003938237.tif 000004
【図４】
0003938237.tif 000005
【図５】
0003938237.tif 000006
【図６】
0003938237.tif 000007
【図７】
0003938237.tif 000008
【図８】
0003938237.tif 000009
【図９】
0003938237.tif 000010
【図１０】
0003938237.tif 000011
【図１１】
0003938237.tif 000012
【図１２】
0003938237.tif 000013
【図１３】
0003938237.tif 000014